(57)【特許請求の範囲】
【請求項１】
シリンダーの近傍にピストンと共に荷重を持ち上げ、ピストンと共に荷重を付与する荷重持ち上げアームを設け、この荷重持ち上げアームに先端部の荷重持ち上げ位置と基端部の避退位置との間で往復移動可能な荷重載置板を設けると共に、荷重持ち上げアームの先端部にシリンダー掃除機構を設けたことを特徴とする手動式メルトインデクサー装置。
【請求項２】
請求項１に記載の手動式メルトインデクサー装置において、荷重持ち上げ上昇位置における荷重持ち上げアームの基端部付近に荷重載置板を載置する荷重格納台を設けたことを特徴とする手動式メルトインデクサー装置。
【請求項３】
請求項１又は２に記載の手動式メルトインデクサー装置において、シリンダー掃除機構にシリンダー掃除棒を着脱自在に設けたことを特徴とする手動式メルトインデクサー装置。
【請求項４】
請求項１、２又は３に記載の手動式メルトインデクサー装置において、シリンダー掃除機構にシリンダー掃除棒を回転駆動する回転駆動手段を設けたことを特徴とする手動式メルトインデクサー装置。
【請求項５】
請求項１乃至４のいずれかに記載の手動式メルトインデクサー装置において、シリンダー掃除機構にシリンダー掃除棒を弾性押圧手段を介して設けたことを特徴とする手動式メルトインデクサー装置。
【発明の詳細な説明】
【０００１】
【発明の属する技術分野】
本発明は、手動式メルトインデクサー装置に関する。
【０００２】
【従来の技術】
従来、手動式メルトインデクサー装置においては、シリンダー内のピストンに加えるべき荷重は、その都度、測定者が錘を持ち上げて加えるものであった。
また、測定後のシリンダーの掃除も測定者が錘とピストンを除去してから掃除棒を差し込んで行うものであった。
【０００３】
【発明が解決しようとする課題】
従来、手動式メルトインデクサー装置において、シリンダー内のピストンに加えるべき荷重は、多い場合は２０Ｋｇを越えるため、荷重の上げ下ろしを繰り返す測定者の負担は大きく、測定能率を低下させるものであった。
また、測定後のシリンダーの掃除も測定者に大きな負担になっていたにもかかわらず、これまで、手動式メルトインデクサー装置において、シリンダー掃除機構を設けたものは全くなかった。
【０００４】
【課題を解決するための手段】
そこで、本発明は、シリンダーの近傍にピストンと共に荷重を持ち上げ、ピストンと共に荷重を付与する荷重持ち上げアームを設け、且つ、荷重持ち上げアームにシリンダー掃除機構を設けたことを特徴とする手動式メルトインデクサー装置を提供するものである。
【０００５】
本発明によれば、シリンダー近傍に設けた荷重持ち上げアームにより、ピストンと共に荷重を持ち上げることができると共に、ピストンと共に荷重を加えることができるから、一度荷重持ち上げアームに所定の荷重を載置すれば、その後は、荷重持ち上げアームにより、ピストンと共に荷重を取り除き、また、加えることができ、測定者の荷重上げ下ろしの労力を大幅に軽減することができ、且つ、従来の手動式メルトインデクサー装置に全くなかったシリンダー掃除機構を荷重持ち上げアームに設けたことにより、荷重持ち上げアームに設けたシリンダー掃除機構によりシリンダーの掃除をすることができ、荷重持ち上げアームを併用して簡素な構造でシリンダー掃除機構を設けることができるのみならず、測定者の掃除の負担を大幅に軽減することができ、異なる試料等による測定と掃除を容易に繰り返し行うことができる。
【０００６】
また、本発明は、請求項１に記載の手動式メルトインデクサー装置において、荷重持ち上げアームに先端部の荷重持ち上げ位置と基端部の避退位置との間で往復移動可能な荷重載置板を設けると共に、荷重持ち上げアームの先端部にシリンダー掃除機構を設けたことを特徴とする手動式メルトインデクサー装置を提供するものである。
本発明によれば、荷重持ち上げアームの先端部の荷重持ち上げ位置から基端部の避退位置に荷重載置板を避退することができ、荷重載置板が避退位置に避退しているときに、荷重持ち上げアームの先端部に設けたシリンダー掃除機構によりシリンダーの掃除を行うことができるから、測定と掃除を繰り返し容易に連続的に行うことができる。
【０００７】
また、本発明は、請求項１又は２に記載の手動式メルトインデクサー装置において、荷重持ち上げ上昇位置における荷重持ち上げアームの基端部付近に荷重載置板を載置する荷重格納台を設けたことを特徴とする手動式メルトインデクサー装置を提供するものである。
測定終了後に、荷重持ち上げ上昇位置における荷重持ち上げアームの基端部付近に設けた荷重格納台に荷重載置板を載置することができるから、細長いピストンと重い錘等を荷重載置台と共に荷重格納台に格納しておくことにより、荷重持ち上げアームに構造的に容易にシリンダー掃除機構を設けることができると共に、荷重から開放された荷重持ち上げアームにより軽快にシリンダー掃除機構による清掃作業を行うことができる。
【０００８】
また、本発明は、請求項１、２又は３に記載の手動式メルトインデクサー装置において、シリンダー掃除機構にシリンダー掃除棒を着脱自在に設けたことを特徴とする手動式メルトインデクサー装置を提供するものである。
シリンダー掃除機構のシリンダー掃除棒はピストンと同様の長さを有するものであるから、測定時には邪魔にならないようにピストン作動域から水平方向等に傾倒させて避退させる等の手段を講じる必要があり、設計が難しく構造的に複雑になるが、本発明によれば、シリンダー掃除棒を着脱することができるから、測定時には取り外しておき、測定後の掃除の時のみ装着して使用することができるから、構造的に簡単であり、且つ、測定及び掃除が迅速、容易にできる。
【０００９】
また、本発明は、請求項１乃至４のいずれかに記載の手動式メルトインデクサー装置において、シリンダー掃除機構にシリンダー掃除棒を回転駆動する回転駆動手段を設けたことを特徴とする手動式メルトインデクサー装置を提供するものである。
荷重持ち上げアームの先端部に設けたシリンダー掃除機構にシリンダー掃除棒の回転駆動手段を設けたことにより、シリンダー掃除棒を回転駆動手段により回転駆動することができるから、シリンダーの掃除を容易に行うことができる。
また、本発明は、請求項１乃至５のいずれかに記載の手動式メルトインデクサー装置において、シリンダー掃除機構にシリンダー掃除棒を弾性押圧手段を介して設けたことを特徴とする手動式メルトインデクサー装置を提供するものである。
シリンダー掃除機構にシリンダー掃除棒を弾性押圧手段を介して設けたことにより、シリンダー掃除棒がシリンダー内に挿入されてシリンダー底面部に当接したところから弾性押圧手段により適正な面圧を底面に加えながら軽快に掃除をすることができると共に、シリンダー底面の損傷を防止することができる。
【００１０】
【発明の実施の形態】
以下図示する実施例により本発明の実施の形態を説明する。
１０は本発明に係る手動式メルトインデクサー装置の装置本体で、その中間台部２の左側前面に炉体本体３が一体に設けてある。炉体本体３の中心部には垂直方向にシリンダー１が設けてある。炉体本体３には、温度センサー６の検出温度に基づいてシリンダー１を設定温度に均一に温度調節して加熱する複数個のヒーター５が設けてある。シリンダー１内には、設定温度で溶融する試料が充填され、溶融した試料を上部から挿入したピストン７により所定の荷重で押圧し底部に設けたオリフィスを有するダイスから流出する試料の流出速度から試料の物性を測定するものである。なお、図では省略したが、シリンダー１の底部にはダイスを受ける底面部が設けてあり、底面部にも孔が設けてあり、その孔から棒を差し込んでダイスをシリンダー１の上方から取り出すことができ、ダイスをシリンダー１内から取り出した状態で、シリンダー１内の掃除を行うこととなる。
【００１１】
また、中間台部２の右側前面には操作パネル４が設けてあり、シリンダー１の温度設定、加熱時間、荷重持ち上げアーム２０の昇降操作、シリンダー掃除機構の操作等を制御することができるように構成してある。
装置本体１０の後方装置枠体８内には、荷重持ち上げアーム２０の昇降駆動機構が内蔵されており、２本の荷重持ち上げアーム２０が２本の昇降案内孔９から炉体本体３の真上に向かって水平前方に突出した状態で昇降するように構成してある。
【００１２】
２本の荷重持ち上げアーム２０には、案内レール１１が一体に設けてあり、その案内レール１１上に先端部の荷重持ち上げ位置と基端部の避退位置との間で往復移動可能に荷重載置板１５を設けてある。実施例の場合、案内レール１１には、それぞれ摺動駒部材１２が上方に離脱可能に跨いだ形態で摺動自在に嵌合しており、摺動駒部材１２間に水平な荷重載置板１５を一体に設けてある。
また、荷重載置板１５の手前側には、ハンドル取付板１３を介してハンドル１４が一体に取り付けてあり、荷重載置板１５の移動操作を容易に行うことができるように構成してある。荷重載置板１５の中心部には、ピストン７が垂直方向に設けてあり、実施例の場合、図４に記載のように、その上に荷重となる錘２８を緩みなく載置すべきピストン頭部２７を嵌合するピストン取付孔が設けてある。
【００１３】
また、荷重載置板１５上には、３個所以上に錘固定杆１６が所定長さに立設してあり、積み重ねて載置した錘２８をその間に安全に保持し得るように構成してある。また、荷重持ち上げアーム２０の一側部にはストッパー１７が設けてあり、荷重載置板１５のフレーム部２９に設けた係合凹部１８，１９に着脱操作可能に係合することによって、荷重載置板１５を荷重持ち上げアーム２０の先端部の荷重持ち上げ位置と基端部の避退位置に任意に固定することができるように構成してある。
【００１４】
また、荷重持ち上げ上昇位置における荷重持ち上げアーム２０の基端部付近の内側の後方枠体８には、荷重載置板１５を載置する荷重格納台２１が設けてある。実施例の場合、荷重格納台２１は水平に突出した２本の支持枠部２２とその間に設けた補強枠部２３とからなる。支持枠部２２の上部には係止突起２４が設けてあり、荷重載置板１５の下面に設けた係合凹部２５と嵌合するように構成してある。また、２６は、荷重載置板１５を荷重持ち上げアーム２０の避退位置に位置決めして停止させるためのストッパ部材である。
【００１５】
次に、荷重持ち上げアーム２０の先端部に設けたシリンダー掃除機構３０について説明すると、図５に記載のように、荷重持ち上げアーム２０の先端部には、荷重載置板１５と抵触しない下側に装着開口３２を間に隔てて水平に対抗する２枚一組の掃除棒取付板３１を平行に設けてあり、この掃除棒取付板３１にそれぞれ嵌合する装着溝３３を両側に具備する横断面長方形形状の掃除棒支持基部３４を着脱可能に設け、その装着状態でシリンダー掃除棒３５がピストン７と同一位置で垂直をなすように構成してある。実施例の場合、掃除棒取付板３１には、装着状態の掃除棒支持基部３４に支点軸３７を中心に時計方向に回動して係合する固定部材３６が設けてあり、装着状態で掃除棒取付板３１に掃除棒支持基部３４を一体的に固定できると共に、固定部材３６を支点軸３７を中心に反時計方向に回転すると固定解除して掃除棒支持基部３４を離脱することができるように構成してある。
【００１６】
掃除棒支持基部３４を荷重持ち上げアーム２０の先端部に着脱可能に設ける構成は、上記の実施例に限らず、クリック機構、止めネジ機構や、締付部材で固定する等、種々の従来公知の構成を採用することが可能である。
シリンダー掃除棒３５は、掃除棒支持基部３４に軸受３８を介して垂直を維持して回転し得るように回転自在に設けてあると共に、掃除棒支持基部３４の下方に位置して従動歯車３９を一体に設けてある。実施例の場合、シリンダー掃除棒３５の頭部５０は、軸受３８の内筒部４７にスプラインやキー４９と長孔等により一体に回転すると共に上下動可能に装着してあり、内筒部４７の内奥部に設けたコイルスプリング４８等からなる弾性押圧手段により適宜な弾力性を以てシリンダー１内に挿入され、シリンダー底面部に当接してから、荷重持ち上げアーム２０が降下するに伴って適当な弾力性を掛けながら底面部を損傷することなく清掃することができるように構成してある。シリンダー掃除棒３５の弾性押圧手段としては、コイルスプリング４８、板バネ等のバネ弾性手段の他に、ゴム弾性手段、空気圧弾性手段を使用することも可能であり、また、軸受３８の内筒部４７とシリンダー掃除棒３５の頭部５０との間に限らず、荷重持ち上げアーム２０と一体に上下動する部材と掃除棒支持基部３４との間に設けることも可能である。
【００１７】
シリンダー掃除棒３５を回転させる従動歯車３９は、実施例の場合、軸受３８の内筒部４７の下端部に一体に固定してあり、内筒部４７によりシリンダー掃除棒３５の頭部５０を一体に回転することができるように構成してある。また、実施例の場合、内筒部４７とシリンダー掃除棒３５の頭部５０とは、頭部５０に設けたキー４９が内筒部４７に垂直に設けたキー溝に摺動自在に嵌合することによって、シリンダー掃除棒３５が回転を伴って上下動することができるように構成してある。
従動歯車３９には、一側方の掃除棒取付板３１に回転自在に軸受４１を介して設けた差動歯車４２が掃除棒支持基部３４の装着と同時に咬合し、差動歯車４２には、一体に回転する小径の従動プーリ４３にタイミングベルト４４を介して、荷重持ち上げアーム２０の側方の取付基盤４６に設けた駆動モータ４０により回転する駆動プーリ４５が連動するように連結してある。
【００１８】
実施例の場合、シリンダー掃除棒３５の回転駆動手段は駆動モータ４０であるが、例えば、正逆回転駆動手段によりシリンダー掃除棒が正逆回転する構成、手動式のハンドルで回転駆動する構成等の他の構成にすることも勿論可能である。上記のシリンダー掃除機構３０によれば、測定終了後に、荷重持ち上げアーム２０の上昇により、錘２８と共にシリンダー１からピストン７を抜き取り、荷重持ち上げ上昇位置に上昇させて、荷重載置板１５を避退させ、荷重持ち上げアーム２０を下降して荷重格納台２１に荷重載置板１５を載せて、荷重持ち上げアーム２０からピストンと錘２８を同時に除去することができる。
荷重持ち上げアーム２０の先端部の荷重持ち上げ位置から荷重載置板１５を避退させた後、シリンダー掃除機構３０の掃除棒取付板３１に、掃除棒支持基部３４を装着すると、その下方に位置して一体に設けた従動歯車３９に、一側方の掃除棒取付板３１に回転自在に設けた差動歯車４２が同時に咬合し、差動歯車４２と一体に回転する小径の従動プーリ４３にタイミングベルト４４を介して駆動モータ４０の駆動プーリ４５が連動するように連結することとなる。
【００１９】
荷重持ち上げアーム２０を下降させると、シリンダー掃除棒３５がピストン７と同様にシリンダー１に嵌合し、回転駆動手段によりシリンダー掃除棒３５を回転しながら内奥まで挿入して再度上昇させることによって、シリンダー１内の掃除は完了し、荷重持ち上げアーム２０と共に荷重持ち上げ上昇位置に上昇させて、掃除棒取付板３１から掃除棒支持基部３４を離脱し、荷重格納台２１から持ち上げた荷重載置板１５を避退位置から先端部に移動して引き続き次の測定を行うことができることとなる。
【００２０】
【発明の効果】
以上の通り、本発明に係る手動式メルトインデクサー装置によれば、シリンダーの近傍にピストンと共に荷重を持ち上げ、ピストンと共に荷重を付与する荷重持ち上げアームを設け、且つ、荷重持ち上げアームにシリンダー掃除機構を設けた構成を有することにより、シリンダー近傍に設けた荷重持ち上げアームによって、ピストンと共に荷重を持ち上げることができ、且つ、ピストンと共に荷重を加えることができるから、一度荷重持ち上げアームに所定の荷重を載置すれば、その後は、荷重持ち上げアームにより、シリンダーからピストンと共に荷重を取り除き、また、シリンダー上に載置することができ、測定者の荷重上げ下ろしの労力を大幅に軽減することができる効果があり、且つ、荷重持ち上げアームに設けたシリンダー掃除機構によりシリンダーの掃除をすることができ、測定者の掃除の負担を大幅に軽減することができ、異なる試料等による測定と掃除を容易に繰り返し行うことができる効果がある。
【００２１】
また、本発明は、請求項１に記載の手動式メルトインデクサー装置において、荷重持ち上げアームに先端部の荷重持ち上げ位置と基端部の避退位置との間で往復移動可能な荷重載置板を設けると共に、荷重持ち上げアームの先端部にシリンダー掃除機構を設けた構成を有することにより、荷重持ち上げアームの先端部の荷重持ち上げ位置から基端部の避退位置に荷重載置板を避退することができ、荷重載置板が避退位置に避退しているときに、荷重持ち上げアームの先端部に設けたシリンダー掃除機構によりシリンダーの掃除を連続的に容易に行うことができる効果がある。
【００２２】
また、本発明は、請求項１又は２に記載の手動式メルトインデクサー装置において、荷重持ち上げ上昇位置における荷重持ち上げアームの基端部付近に荷重載置板を載置する荷重格納台を設けた構成を有することにより、測定終了後に、荷重持ち上げ上昇位置における荷重持ち上げアームの基端部付近に設けた荷重格納台に荷重載置板を載置することができるから、重い錘等を荷重載置台と共に荷重格納台に格納しておくことにより、荷重持ち上げアームに構造的に容易にシリンダー掃除機構を設けることができると共に、軽快にシリンダー掃除機構による清掃作業を行うことができる効果がある。
【００２３】
また、本発明は、請求項１、２又は３に記載の手動式メルトインデクサー装置において、シリンダー掃除機構にシリンダー掃除棒を着脱自在に設けた構成を有することにより、ピストンと同様の長さを有するシリンダー掃除棒を着脱することができるから、測定時には取り外しておき、測定後の掃除の時のみ装着して使用することができ、簡単な構造で測定及び掃除が迅速、容易にできる効果がある。
【００２４】
また、本発明は、請求項１乃至４のいずれかに記載の手動式メルトインデクサー装置において、シリンダー掃除機構にシリンダー掃除棒を回転駆動する回転駆動手段を設けた構成を有することにより、荷重持ち上げアームの先端部に設けたシリンダー掃除機構に設けたシリンダー掃除棒の回転駆動手段により、シリンダー掃除棒を回転駆動することができるから、シリンダーの掃除を容易に行うことができる効果がある。
【００２５】
また、本発明は、請求項１乃至５のいずれかに記載の手動式メルトインデクサー装置において、シリンダー掃除機構にシリンダー掃除棒を弾性押圧手段を介して設けた構成を有することにより、シリンダー掃除棒がシリンダー内に挿入されてシリンダー底面部に当接したところから弾性押圧手段により適正な面圧をシリンダー底面に加えながら軽快に掃除をすることができる効果があると共に、シリンダー底面の損傷を防止することができる効果がある。
【図面の簡単な説明】
【図１】  本発明装置の一実施例の概略正面図。
【図２】  その概略側面図。
【図３】  その概略平面図。
【図４】  その要部の一使用態様を拡大して示す概略側面図。
【図５】  その他の要部の一使用態様を拡大して示す概略正面図。
【図６】  その要部の一実施例を取り出して示す概略平面図。
【図７】  その要部を一部縦断して示す概略側面図。
【図８】  その要部の概略側面図。
【符号の説明】
１        シリンダー
２        中間台部
３        炉体本体
４        操作パネル
５        ヒーター
６        温度センサー
７        ピストン
８        後方装置枠体
９        昇降案内孔
１０      装置本体
１１      案内レール
１２      摺動駒部材
１３      ハンドル取付板
１４      ハンドル
１５      荷重載置板
１６      錘固定杆
１７      ストッパー
１８      係合凹部
１９      係合凹部
２０      荷重持ち上げアーム
２１      荷重格納台
２２      支持枠部
２３      補強枠部
２４      係止突起
２５      係合凹部
２６      ストッパ部材
２７      ピストン頭部
２８      錘
２９      フレーム部
３０      シリンダー掃除機構
３１      掃除棒取付板
３２      装着開口
３３      装着溝
３４      掃除棒支持基部
３５      シリンダー掃除棒
３６      固定部材
３７      支点軸
３８      軸受
３９      従動歯車
４０      駆動モータ
４１      軸受
４２      差動歯車
４３      従動プーリ
４４      タイミングベルト
４５      駆動プーリ
４６      取付基盤
４７      軸受３８の内筒部
４８      コイルスプリング
４９      キー
５０      シリンダー掃除棒の頭部
【図１】
0004012656.tif 000002
【図２】
0004012656.tif 000003
【図３】
0004012656.tif 000004
【図４】
0004012656.tif 000005
【図５】
0004012656.tif 000006
【図６】
0004012656.tif 000007
【図７】
0004012656.tif 000008
【図８】
0004012656.tif 000009